(57)【要約】【課題】放送された店舗名などの固有名称を多く取得することが可能となり、利便性を向上させた移動体ナビゲーション装置を提供する。【解決手段】放送信号を受信する機能を有した移動体ナビゲーション装置において、受信された放送信号に基づく画像データに対して文字認識処理を行い、認識された文字から固有名称を抽出する第１の固有名称抽出部および／または受信された放送信号に基づく音声データに対して音声認識処理を行い、認識された文字から固有名称を抽出する第２の固有名称抽出部を備え、前記第１の固有名称抽出部および／または前記第２の固有名称抽出部が抽出した固有名称を記憶部に登録する固有名称登録部をさらに備える構成とする。【選択図】図１
2011169622.tif 000002
【特許請求の範囲】
【請求項１】
放送信号を受信する機能を有した移動体ナビゲーション装置において、
受信された放送信号に基づく画像データに対して文字認識処理を行い、認識された文字から固有名称を抽出する第１の固有名称抽出部および／または受信された放送信号に基づく音声データに対して音声認識処理を行い、認識された文字から固有名称を抽出する第２の固有名称抽出部を備え、
前記第１の固有名称抽出部および／または前記第２の固有名称抽出部が抽出した固有名称を記憶部に登録する固有名称登録部をさらに備えることを特徴とする移動体ナビゲーション装置。
【請求項２】
前記固有名称登録部により前記記憶部に登録された固有名称を表示部にリスト表示させる表示制御部と、
前記リスト表示おいて選択された固有名称の位置を経路案内の目的地として設定する目的地設定部と、を備えることを特徴とする請求項１に記載の移動体ナビゲーション装置。
【請求項３】
前記目的地設定部は、前記リスト表示において選択された固有名称の位置と現在設定されている目的地との距離が所定距離以下の場合にその位置を追加目的地として設定を行うことを特徴とする請求項２に記載の移動体ナビゲーション装置。
【請求項４】
前記目的地設定部は、前記リスト表示において選択された固有名称の位置と現在の移動体位置との距離が所定距離以下の場合に設定を行うことを特徴とする請求項２に記載の移動体ナビゲーション装置。
【請求項５】
前記第１の固有名称抽出部および／または前記第２の固有名称抽出部は、予め設定されたジャンルの固有名称のみを抽出することを特徴とする請求項１〜請求項４のいずれかに記載の移動体ナビゲーション装置。
【発明の詳細な説明】
【技術分野】
【０００１】
本発明は、放送受信機能を有した移動体ナビゲーション装置に関する。
【背景技術】
【０００２】
従来から、テレビ放送やラジオ放送を受信する機能を有した移動体ナビゲーション装置（特に車載用ナビゲーション装置）が様々に開発されている。
【０００３】
このような移動体ナビゲーション装置として、例えば特許文献１には、テレビ放送により取得したＥＰＧ（電子番組表）上の操作により目的地（名所、旧跡、観光スポット、レストラン、イベントスポットなど）が特定されると、得られたＥＰＧ位置特定情報をナビゲーションシステムに送信し、簡便に目的地設定を行うとした車載用ナビゲーション装置が開示されている。
【先行技術文献】
【特許文献】
【０００４】
【特許文献１】特開２００８−１７０１５７号公報
【発明の概要】
【発明が解決しようとする課題】
【０００５】
しかし、実際にはＥＰＧには店舗名などの固有名称は記載されない場合が多く、上記特許文献１の車載用ナビゲーション装置では、ユーザがテレビ放送を視聴していて行きたい場所を見つけたとしても、目的地設定することができない場合が多いといった問題があった。
【０００６】
上記問題点を鑑み、本発明は、放送された店舗名などの固有名称を多く取得することが可能となり、利便性を向上させた移動体ナビゲーション装置を提供することを目的とする。
【課題を解決するための手段】
【０００７】
上記目的を達成するために本発明は、放送信号を受信する機能を有した移動体ナビゲーション装置において、
受信された放送信号に基づく画像データに対して文字認識処理を行い、認識された文字から固有名称を抽出する第１の固有名称抽出部および／または受信された放送信号に基づく音声データに対して音声認識処理を行い、認識された文字から固有名称を抽出する第２の固有名称抽出部を備え、
前記第１の固有名称抽出部および／または前記第２の固有名称抽出部が抽出した固有名称を記憶部に登録する固有名称登録部をさらに備える構成とした。
【０００８】
このような構成によれば、放送の画像データおよび／または音声データから固有名称を抽出して登録するので、店舗名などの固有名称を多く取得することが可能となり、取得した固有名称を有効活用でき、利便性が向上する。
【０００９】
また、上記構成において、前記固有名称登録部により前記記憶部に登録された固有名称を表示部にリスト表示させる表示制御部と、
前記リスト表示において選択された固有名称の位置を経路案内の目的地として設定する目的地設定部と、を備える構成としてもよい。
【００１０】
このような構成によれば、放送されて興味を持った店舗等をリスト表示においてユーザが選択すれば、選択された店舗等が目的地設定され、経路案内によりユーザはその店舗等へ向かうことができる。
【００１１】
また、上記構成において、前記目的地設定部は、前記リスト表示において選択された固有名称の位置と現在設定されている目的地との距離が所定距離以下の場合にその位置を追加目的地として設定を行う構成としてもよい。
【００１２】
このような構成によれば、現在向かおうとしている目的地と選択した店舗等が近ければ、選択した店舗等が追加目的地として設定され、その店舗等にユーザは向かうことができる。
【００１３】
また、上記構成において、前記目的地設定部は、前記リスト表示において選択された固有名称の位置と現在の移動体位置との距離が所定距離以下の場合に設定を行う構成としてもよい。
【００１４】
このような構成によれば、選択した店舗等が現在の移動体位置から近ければ、選択した店舗等に目的地が設定され、その店舗等にユーザは向かうことができる。
【００１５】
また、上記いずれかの構成において、前記第１の固有名称抽出部および／または前記第２の固有名称抽出部は、予め設定されたジャンルの固有名称のみを抽出する構成としてもよい。
【００１６】
このような構成によれば、ユーザが所望するジャンルの固有名称のみを抽出して登録できるので、利便性が高いものとなる。
【発明の効果】
【００１７】
本発明の移動体ナビゲーション装置によれば、放送された店舗名などの固有名称を多く取得することが可能となり、利便性が向上する。
【図面の簡単な説明】
【００１８】
【図１】本発明の一実施形態に係るナビゲーション装置のブロック構成図である。
【図２】固有名称抽出・登録処理、および登録した固有名称を用いた地点登録に関するフローチャートである。
【図３】登録した固有名称を用いた目的地設定・メモ機能に関するフローチャートである。
【図４】テレビ放送の静止画像データの一例を示す図である。
【図５】固有名称リスト表示の一例を示す図である。
【図６】目的地設定処理の変形例を示すフローチャートである。
【図７】目的地設定処理の別の変形例を示すフローチャートである。
【図８】ジャンル設定画面の一例を示す図である。
【発明を実施するための形態】
【００１９】
以下に本発明の実施形態を図面を参照して説明する。
【００２０】
図１に、本発明の一実施形態に係るナビゲーション装置１００のブロック構成図を示す。ナビゲーション装置１００は、車両搭載用であって、ＧＰＳ（Global Positioning System）衛星から受信した電波に基づいて車両の現在地（自車位置）を特定し、自車位置とともにその付近の地図が示されたナビゲーション画面を表示して、誘導経路に沿って車両を目的地まで誘導することを主たる機能としており、テレビ放送受信機能も有している。
【００２１】
図１に示すように、ナビゲーション装置１００は、チューナ１と、復調部２と、デコーダ３と、画像処理部４と、音声処理部５と、ＧＰＳ部６と、ジャイロ・加速度センサ７と、インターフェース部８と、制御部９と、記憶装置１０と、描画部１１と、表示制御部１２と、表示部１３と、音源回路部１４と、スピーカ１５と、インターフェース部１６と、ハードキー１７と、位置検出部１８と、タッチパネル１９と、アンテナ２０とを備えている。
【００２２】
アンテナ２０は、地上デジタル放送波を受信し、チューナ１は、アンテナ２０から受信するデジタル放送信号から特定チャンネルの信号を選局する。復調部２は、選局された信号を復調等し、ＴＳ（トランスポートストリーム）を取り出す。デコーダ３は、取り出されたＴＳから映像ストリームおよび音声ストリームを作成し、作成された映像ストリームをデコードしてデジタル映像信号を制御部９および画像処理部４に送り、作成された音声ストリームをデコードしてデジタル音声信号を制御部９および音声処理部５に送る。制御部９に送られた映像音声信号により放送映像が表示され放送音声が発生し、ユーザは放送を視聴できる。
【００２３】
画像処理部４および音声処理部５は、店舗名、施設名などの固有名称が記載された辞書ＤＢ（不図示）を有しており、静止画像データ、音声データを処理して固有名称を抽出する。また、辞書ＤＢは、記憶装置１０が有する構成としてもよい。
【００２４】
ＧＰＳ部６は、受信アンテナおよびチューナ等で構成されており、ＧＰＳ衛星から受信した電波を処理して測位用データを取り出す。取り出された測位用データは、インターフェース部８を介して制御部９に送られる。制御部９は、ＧＰＳ部６から送られた測位用データに基づいて自車位置を特定する。
【００２５】
ナビゲーション装置１００は、いわゆるハイブリッド方式を採用しており、車両の向き・加速度を検出するためのジャイロ・加速度センサ７が設けられる。ジャイロ・加速度センサ７の検出信号はインターフェース部８を介して制御部９に送られ、制御部９はそれらの信号に基づいて車両の向きや加速度を特定する。
【００２６】
制御部９は、ナビゲーション装置１００の制御を統括的に行うとともに、車両位置の特定や経路探索等の各種処理を実行する。制御部９は、例えば、マイクロコンピュータで構成され、ＣＰＵ９ａ、ＲＡＭ９ｂ、ＲＯＭ９ｃを含んでいる。
【００２７】
記憶装置１０には、ＨＤＤやメモリＩＣチップなどを採用でき、ナビゲーション画面の表示や経路探索などに必要となる地図情報ＤＢ（データベース）１０ａが格納される。
【００２８】
地図情報ＤＢ１０ａには、地図データ、地図データに基づいてナビゲーション画面を描画する際に参照される描画パラメータ、経路誘導用やその他の用途の音声の生成に使用される音声データが含まれている。地図データには、道路データと、海岸線、河川等に関する水系データ、施設データ等からなる背景データとが含まれる。制御部９は、実行する動作に必要なデータを地図情報ＤＢ１０ａから部分的に取り出して参照する。
【００２９】
また、地図情報ＤＢ１０ａには、店舗名などの固有名称データが位置データと対応付けられて格納もされており、地点登録や経路案内の目的地設定に用いられる。
【００３０】
また、記憶装置１０には、地図情報ＤＢ１０ａの他に、固有名称ＤＢ１０ｂ、地点登録ＤＢ１０ｃ、メモ用ＤＢ１０ｄも格納されるが、これらについては後述する。
【００３１】
描画部１１は、描画専用のＣＰＵ等を含むＩＣチップであって、制御部９からの指示に基づいて、ナビゲーション画面の画像データや操作画面の画像データ等を作成する。描画部１１で作成された画像データは、表示制御部１２に送られ、表示制御部１２が有するＲＡＭに記憶される。表示制御部１２は、記憶した画像データに基づいて表示部１３に画像表示用の信号を送り、表示部１３の表示領域に画像データに係る画面を表示させる。表示部１３には、ＬＣＤや有機ＥＬディスプレイなどが用いられる。なお、テレビ放送視聴モードの際は、制御部９がデコーダ３からの映像信号を表示制御部１２に送り、表示部１３に放送画面が表示される。
【００３２】
音源回路部１４は、制御部９から送られた音声データに基づいて、経路誘導用やその他の用途のアナログ音声信号を生成する。生成されたアナログ音声信号に基づきスピーカ１５は音声を発生する。なお、テレビ放送視聴モードの際は、制御部９がデコーダ３からの音声信号を音源回路部１４に送り、スピーカ１５から放送音声が発生する。
【００３３】
ハードキー１７およびタッチパネル１９は、ナビゲーション装置１００に指示を与えるためのものである。ハードキー１７を構成するキーの１つが押下されると、そのキーの押下を通知する信号がインターフェース部１６を介して制御部９に送られる。
【００３４】
タッチパネル１９は、例えば、格子状に配置された透明な電極を有する感圧式のパネルであって、表示部１３の表示領域上に配設される。タッチパネル１９が押下されると、位置検出部１８は、タッチパネル１９から送られた電圧信号に基づいて、押下された位置の座標情報を通知する信号を生成する。この信号は、インターフェース部１６を介して制御部９に送られる。
【００３５】
次に、ナビゲーション装置１００における固有名称抽出・登録処理、および登録した固有名称を用いた地点登録等に関して、図２および図３のフローチャートに沿って説明する。
【００３６】
ここで、ハードキー１７の操作によりテレビ放送視聴モードが選択されると、チューナ１、復調部２並びにデコーダ３が動作を開始し、表示部１３に放送画面が表示されると共に、スピーカ１５から放送音声が発生し、図２のフローチャートが開始される。
【００３７】
まず、ステップＳ１で、固有名称抽出・登録処理が開始される。
【００３８】
具体的には、画像処理部４が、デコーダ３からの静止画像データを一定時間間隔で取得しつつ、取得した静止画像データに対して文字認識処理を行い、認識された文字から辞書ＤＢを参照して固有名称を抽出する。なお、処理が終了した静止画像データは逐次破棄される。
【００３９】
例えば、図４に示すような静止画像データの場合は、図４のＡで示す放送業者が編集で付した画像が文字認識されると共に、図４のＢで示す撮影された看板の「○×屋」という画像も文字認識され、店舗名である「○×屋」が抽出されることになる。
【００４０】
また、音声処理部５は、デコーダ３からの音声データを記録しつつ、記録された音声データに対して音声認識処理を行い、認識された文字から辞書ＤＢを参照して固有名称を抽出する。なお、処理が終了した部分の記録音声は逐次破棄される。
【００４１】
そして、制御部９は、画像処理部４および音声処理部５が抽出した固有名称を順次、記憶装置１０に格納される固有名称ＤＢ１０ｂに登録する。このとき、既に固有名称ＤＢ１０ｂに登録されている固有名称については登録しない。なお、固有名称ＤＢ１０ｂに登録された固有名称は、ナビゲーション装置１００の電源をオフにすると、全て消去されるようにしてもよい。
【００４２】
ステップＳ１の後、固有名称リスト表示操作がされない間は、固有名称抽出・登録処理が継続される（ステップＳ２のＮ）。固有名称リスト表示操作は、ハードキー１７が有する専用キーによるものでもよいし、表示部１３に表示されたソフトボタンによるものでもよい。
【００４３】
そして、固有名称リスト表示操作がされると（ステップＳ２のＹ）、制御部９は、固有名称ＤＢ１０ｂに現時点で格納された固有名称データに基づき描画部１１に指示を行い、表示部１３に、放送画面に代わり固有名称リストが表示される（ステップＳ３）。なお、固有名称の抽出・登録処理は継続される。
【００４４】
ここで、図５に、固有名称リスト表示の一例を示す。図５のように、固有名称が固有名称表示欄Ｃにリスト表示され、スクロールボタンＤにより固有名称のスクロール表示も可能となっている。また、固有名称表示欄Ｃに隣接して、地点登録ボタンＥ、目的地設定ボタンＦ並びにメモ用ボタンＧが表示される。また、固有名称および各ボタンは、タッチパネル１９により選択できる。
【００４５】
もし、固有名称リスト表示において固有名称が一つまたは複数選択された上で地点登録ボタンＥが選択されると、ステップＳ４に進み、制御部９は、選択された固有名称と一致する名称が地図情報ＤＢ１０ａに存在するか否かを判定する。ここで、地図情報ＤＢ１０ａには上述したように固有名称データが位置データと対応付けられて格納される。
【００４６】
一致する名称が存在すれば（ステップＳ４のＹ）、ステップＳ６に進み、制御部９は、一致する名称に対応する位置データを地点登録ＤＢ１０ｃに登録する（複数選択された固有名称のうち一部が一致した場合は一致した名称に対応する位置データを登録する）。以後、例えば、表示部１３に表示されるナビゲーション画面において、地点登録ＤＢ１０ｃに登録された位置にフラグなどを表示するようにしてもよい。
【００４７】
一方、一致する名称が存在しなければ（ステップＳ４のＮ）、ステップＳ５に進み、制御部９は、描画部１１に指示を行い、表示部１３に地点登録できない旨を表示させる。
【００４８】
また、ステップＳ３の固有名称リスト表示において固有名称が一つ選択された上で目的地設定ボタンＦが選択されると、図３のステップＳ７に進み、制御部９は、選択された固有名称と一致する名称が地図情報ＤＢ１０ａに存在するか否かを判定する。
【００４９】
一致する名称が存在すれば（ステップＳ７のＹ）、ステップＳ８に進み、制御部９は、一致した名称に対応する位置データを経路案内の目的地として設定する。そして、ステップＳ９で、制御部９は、現在の車両位置から設定された目的地への経路を探索し、経路案内を開始する。
【００５０】
一方、一致する名称が存在しなければ（ステップＳ７のＮ）、ステップＳ１０に進み、制御部９は、描画部１１に指示を行い、表示部１３に目的地設定できない旨を表示させる。
【００５１】
また、ステップＳ３の固有名称リスト表示において固有名称が一つまたは複数選択された上でメモ用ボタンＧが選択されると、図３のステップＳ１１に進み、制御部９は、選択された固有名称をメモ用ＤＢ１０ｄに登録する。
【００５２】
登録後、ハードキー１７またはタッチパネル１９によりメモリスト表示操作がされると、制御部９は、メモ用ＤＢ１０ｄに登録された固有名称データを読み出し、読み出された固有名称データに基づき描画部１１に指示を行い、読み出された固有名称をリスト表示したメモリストを表示部１３に表示させる。
【００５３】
以上のように、本願発明では、テレビ放送された店舗等の固有名称が抽出され固有名称リストに表示されるので、ユーザが興味を持った店舗等を選択することで、選択された店舗等を地点登録および目的地設定することができ、興味を持った店舗等にユーザが行き易くなる。また、固有名称のメモ機能により、ユーザは興味を持った店舗等をＤＢにとりあえず登録しておき、後でメモリストを表示させて店舗等を確認できるので、店舗名等を忘れてしまうことを防げる。
【００５４】
なお、目的地設定については、固有名称リスト表示において複数の固有名称を選択できるようにしてもよい。この場合、ステップＳ７で、選択された複数の固有名称のうち地図情報ＤＢ１０ａに一致する名称が複数存在すれば（ステップＳ７のＹ）、ステップＳ８に進み、一致した複数の名称に対応する位置データを目的地として設定する。その際、一致した複数の名称に対応する位置データを現在位置から近い順に巡る経路を探索することができる（ステップＳ９）。
【００５５】
また、図６のフローチャートは、目的地設定に関する処理の変形例を示す。
【００５６】
ステップＳ１〜ステップＳ３までは上述の図２と同様であり、固有名称リスト表示において固有名称が一つ選択された上で目的地設定ボタンＦが選択されると、ステップＳ１２に進む。ステップＳ１２で、制御部９は、選択された固有名称と一致する名称が地図情報ＤＢ１０ａに存在するか否かを判定する。
【００５７】
一致する名称が存在すれば（ステップＳ１２のＹ）、ステップＳ１３に進み、制御部９は、経路案内の目的地が既に設定されているか否かを判定する。そして、目的地が設定されていなければ（ステップＳ１３のＮ）、ステップＳ１５に進み、制御部９は、一致した名称に対応する位置データを経路案内の目的地として設定する。そして、ステップＳ１６で、制御部９は、現在の車両位置から設定された目的地への経路を探索し、経路案内を開始する。
【００５８】
ステップＳ１３で、目的地が既に設定されていれば（ステップＳ１３のＹ）、ステップＳ１４に進み、制御部９は、一致した名称の位置と現在設定されている目的地との距離を算出し、算出された距離が所定距離以下か否かを判定する。そして、所定距離以下であれば（ステップＳ１４のＹ）、ステップＳ１７に進み、制御部９は、一致した名称に対応する位置データを追加目的地として設定する。そして、ステップＳ１８で、制御部９は、追加目的地を経由地として事前に設定された目的地まで至る経路を探索し、経路案内を開始する。
【００５９】
ステップＳ１４で、算出された距離が所定距離以下でなければ（ステップＳ１４のＮ）、ステップＳ１９に進み、制御部９は、描画部１１に指示を行い、表示部１３に目的地設定しない旨を表示させる。
【００６０】
また、ステップＳ１２で、一致する名称が存在しなければ（ステップＳ１２のＮ）、ステップＳ２０に進み、制御部９は、描画部１１に指示を行い、表示部１３に目的地設定できない旨を表示させる。
【００６１】
これによれば、既に設定されている目的地と固有名称リストで選択した店舗等とが近ければ、これから向かおうとしている地域に店舗等が位置することになるので、選択した店舗等を目的地として追加設定して、そこに向かうことができる。一方、既に設定されている目的地と固有名称リストで選択した店舗等とが遠ければ、その店舗等に向かうことは困難と考えられるので、目的地の追加設定は行わない。
【００６２】
なお、固有名称リスト表示において複数の固有名称を選択できるようにしてもよい。この場合、ステップＳ１２で、選択された複数の固有名称のうち地図情報ＤＢ１０ａに一致する名称が複数存在すれば（ステップＳ１２のＹ）、ステップＳ１３に進み、目的地が既に設定されていれば（ステップＳ１３のＹ）、ステップＳ１４に進む。そして、ステップＳ１４で、一致した名称の位置と設定されている目的地との距離が所定距離以下のものが複数あれば（ステップＳ１４のＹ）、ステップＳ１７に進み、その位置データを追加目的地に設定し、ステップＳ１８で、複数の追加目的地を経由地として事前に設定された目的地まで至る経路を探索し、経路案内を開始するようにすればよい。なお、ステップＳ１３で、目的地が設定されていなければ（ステップＳ１３のＮ）、ステップＳ１５に進み、一致した名称に対応する位置を目的地に設定し、ステップＳ１６で、設定された目的地を経由する経路を探索し、経路案内を開始すればよい。
【００６３】
また、図７のフローチャートは、目的地設定に関する処理の別の変形例を示す。
【００６４】
ステップＳ１〜ステップＳ３までは上述の図２と同様であり、固有名称リスト表示において固有名称が一つ選択された上で目的地設定ボタンＦが選択されると、ステップＳ２１に進む。ステップＳ２１で、制御部９は、選択された固有名称と一致する名称が地図情報ＤＢ１０ａに存在するか否かを判定する。
【００６５】
一致する名称が存在すれば（ステップＳ２１のＹ）、ステップＳ２２に進み、制御部９は、一致した名称の位置と現在の車両位置との距離を算出し、算出された距離が所定距離以下か否かを判定する。所定距離以下であれば（ステップＳ２２のＹ）、ステップＳ２３に進み、一致した名称に対応する位置データを経路案内の目的地として設定する。そして、ステップＳ２４で、制御部９は、現在の車両位置から設定された目的地への経路を探索し、経路案内を開始する。
【００６６】
ステップＳ２２で、算出された距離が所定距離以下でなければ（ステップＳ２２のＮ）、ステップＳ２５に進み、制御部９は、描画部１１に指示を行い、表示部１３に目的地設定しない旨を表示させる。
【００６７】
また、ステップＳ２１で、一致する名称が存在しなければ（ステップＳ２１のＮ）、ステップＳ２６に進み、制御部９は、描画部１１に指示を行い、表示部１３に目的地設定できない旨を表示させる。
【００６８】
これによれば、現在の車両位置と固有名称リストで選択した店舗等とが近ければ、選択した店舗等を目的地として設定して、そこに向かうことができる。一方、現在の車両位置と固有名称リストで選択した店舗等とが遠ければ、その店舗等に向かうのは困難と考えられるので、目的地設定は行わない。
【００６９】
なお、固有名称リスト表示において複数の固有名称を選択できるようにしてもよい。この場合、ステップＳ２１で、選択された複数の固有名称のうち地図情報ＤＢ１０ａに一致する名称が複数存在すれば（ステップＳ２１のＹ）、ステップＳ２２に進み、一致した複数の名称の位置と現在の車両位置との距離が所定距離以下のものがあれば（ステップＳ２２のＹ）、ステップＳ２３で、その複数の位置データを目的地に設定し、ステップＳ２４で、設定された複数の目的地を現在位置から近い順に経由する経路を探索し、経路案内を開始すればよい。
【００７０】
また、固有名称の抽出については、次のような実施形態としてもよい。
【００７１】
まず、ハードキー１７またはタッチパネル１９の所定操作により、制御部９が、描画部１１に指示を行い、表示部１３に図８に示すようなジャンル設定画面を表示させる。この画面では、ジャンル表示欄Ｈにジャンルがリスト表示されており、設定ボタンＩも表示される。
【００７２】
そして、一または複数のジャンルがタッチパネル１９の操作により選択された上で設定ボタンＩが選択されると、制御部９は、選択されたジャンルを設定する。設定先は、記憶装置１０でもよいし、制御部９のＲＡＭ９ｂでもよい。
【００７３】
そして、テレビ放送視聴モードに入ると、制御部９は、設定されたジャンルを記憶装置１０またはＲＡＭ９ｂから読み出し、読み出したジャンルを画像処理部４および音声処理部５に通知する。そして、画像処理部４は、静止画像データに対して文字認識処理を行い、認識された文字から設定されたジャンルの固有名称のみを抽出する。また、音声処理部５は、記録された音声データに対して音声認識処理を行い、認識された文字から設定されたジャンルの固有名称のみを抽出する。このとき、参照する辞書ＤＢには、固有名称とジャンルを対応付けて記載しておく。
【００７４】
これにより、表示部１３に表示される固有名称リストには、ユーザが所望するジャンルの固有名称のみが表示され、利便性が高くなる。
【００７５】
以上、本発明の実施形態について説明したが、本発明の趣旨の範囲内であれば、実施形態は種々変更可能である。
【００７６】
例えば、本発明は、車載用のナビゲーション装置に限らず、歩行者用の携帯可能なナビゲーション装置などに適用してもよい。
【００７７】
また、ラジオ放送を受信可能なナビゲーション装置において、ラジオ放送の音声データを音声認識して固有名称を抽出するようにしてもよい。
【００７８】
また、受信するテレビ放送は、デジタル放送に限らず、アナログ放送でもよい。
【符号の説明】
【００７９】
１００  ナビゲーション装置
１  チューナ
２  復調部
３  デコーダ
４  画像処理部
５  音声処理部
６  ＧＰＳ部
７  ジャイロ・加速度センサ
８  インターフェース部
９  制御部
９ａ  ＣＰＵ
９ｂ  ＲＡＭ
９ｃ  ＲＯＭ
１０  記憶装置
１０ａ  地図情報ＤＢ
１０ｂ  固有名称ＤＢ
１０ｃ  地点登録ＤＢ
１０ｄ  メモ用ＤＢ
１１  描画部
１２  表示制御部
１３  表示部
１４  音源回路部
１５  スピーカ
１６  インターフェース部
１７  ハードキー
１８  位置検出部
１９  タッチパネル
２０  アンテナ
【図１】
2011169622.tif 000003
【図２】
2011169622.tif 000004
【図３】
2011169622.tif 000005
【図４】
2011169622.tif 000006
【図５】
2011169622.tif 000007
【図６】
2011169622.tif 000008
【図７】
2011169622.tif 000009
【図８】
2011169622.tif 000010